(57)【要約】【課題】利用するサービスの選択を容易且つ迅速に行うことの可能な記憶媒体用リーダライタを提供する。【解決手段】各サービス情報１６１〜１６３を、非接触ＩＣカード１がループアンテナ１１１と通信可能な範囲内に置かれるときの非接触ＩＣカード１の移動方向と対応付けて記憶する記憶部１６０と、非接触ＩＣカード１がアンテナ１１１と通信可能な範囲内に置かれるときの非接触ＩＣカード１の移動方向を検知する検知部１５０と、非接触ＩＣカード１がアンテナ１１１と通信可能な範囲内に置かれるときに非接触ＩＣカード１の移動方向が検知部１５０によって検知されると、記憶部１６０の各サービス情報１６１〜１６３のうち検知部１５０によって検知された移動方向に対応するサービス情報に基づき、アンテナ１１１を介して非接触ＩＣカード１の電子マネー残高の読み書きを行う制御部１７０とを備えた。【選択図】図２
2009064260.tif 000002
【特許請求の範囲】
【請求項１】
それぞれ異なるサービスを提供するための複数のサービス情報を記憶する記憶手段と、各サービスのうち少なくとも一つのサービスで用いられる情報が記憶された記憶媒体と通信可能なアンテナとを備え、記憶媒体がアンテナと通信可能な範囲内に置かれると、記憶媒体の情報に対応するサービスのサービス情報に基づき記憶媒体の情報の読み書きを行うようにした記憶媒体用リーダライタにおいて、
前記各サービス情報を、記憶媒体がアンテナと通信可能な範囲内に置かれるときの記憶媒体の移動方向と対応付けて記憶する記憶手段と、
記憶媒体がアンテナと通信可能な範囲内に置かれるときの記憶媒体の移動方向を検知する検知手段と、
記憶媒体がアンテナと通信可能な範囲内に置かれるときに記憶媒体の移動方向が検知手段によって検知されると、記憶手段の各サービス情報のうち検知手段によって検知された移動方向に対応するサービス情報に基づき、アンテナを介して記憶媒体の情報の読み書きを行う制御手段とを備えた
ことを特徴とする記憶媒体用リーダライタ。
【請求項２】
前記検知手段を、アンテナの周囲に設けられた複数のセンサで構成した
ことを特徴とする請求項１記載の記憶媒体用リーダライタ。
【請求項３】
前記各サービス情報と、記憶媒体がアンテナと通信可能な範囲内に置かれるときの記憶媒体の移動方向との対応関係を表す情報を表示する表示手段を備えた
ことを特徴とする請求項１または２記載の記憶媒体用リーダライタ。
【発明の詳細な説明】
【技術分野】
【０００１】
本発明は、例えば電子乗車券や電子決済等のサービスに用いられる電子マネー残高等の情報が記憶された記憶媒体に対して、情報の読み書きを行う記憶媒体用リーダライタに関するものである。
【背景技術】
【０００２】
従来、この種の記憶媒体用リーダライタとして、それぞれ異なるサービスを提供するための複数のサービス情報を記憶する記憶手段と、各サービスのうち少なくとも一つのサービスで用いられる情報が記憶された記憶媒体と通信可能なアンテナとを備え、記憶媒体がアンテナと通信可能な範囲内に置かれると、記憶媒体の情報に対応するサービスのサービス情報に基づき記憶媒体の情報の読み書きを行うものが知られている（例えば特許文献１参照）。
【０００３】
このような記憶媒体用リーダライタでは、例えば選択ボタン等のようにサービスを選択するための選択手段が設けられており、利用者が選択ボタンを用いてサービスを選択することにより、選択されたサービスのサービス情報に基づき記憶媒体の情報が読み書きされるようになっている。
【０００４】
また、記憶媒体がアンテナと通信可能な範囲内に置かれると、記憶手段の全てのサービス情報に基づき記憶媒体の情報の読出しを行い、正常に読出された情報のみに対応するサービスのサービス情報に基づき記憶媒体の情報を読み書きするようにした記憶媒体用リーダライタも知られている。
【特許文献１】特開２００１−２２５９２１号公報
【発明の開示】
【発明が解決しようとする課題】
【０００５】
しかしながら、従来の記憶媒体用リーダライタでは、サービスを選択するための選択ボタンが設けられているので、記憶媒体を用いたサービスが増加する毎に該サービスに対応する選択ボタンを設ける必要があることから、利用者にとっては利用するサービスの選択に手間がかかり、操作性に劣るという問題点があった。
【０００６】
また、全てのサービス情報に基づき記憶媒体の情報の読出しを行う場合には、記憶媒体を用いたサービスが増加する毎に利用するサービスを特定するまでの時間が長くなることから、結果として記憶媒体を用いたサービスの提供時間が長くなり、利便性に劣るという問題点があった。
【０００７】
本発明は、上記事情に鑑みてなされたものであり、その目的とするところは、利用するサービスの選択を容易且つ迅速に行うことの可能な記憶媒体用リーダライタを提供することにある。
【課題を解決するための手段】
【０００８】
本発明は、前記目的を達成するために、それぞれ異なるサービスを提供するための複数のサービス情報を記憶する記憶手段と、各サービスのうち少なくとも一つのサービスで用いられる情報が記憶された記憶媒体と通信可能なアンテナとを備え、記憶媒体がアンテナと通信可能な範囲内に置かれると、記憶媒体の情報に対応するサービスのサービス情報に基づき記憶媒体の情報の読み書きを行うようにした記憶媒体用リーダライタにおいて、前記各サービス情報を、記憶媒体がアンテナと通信可能な範囲内に置かれるときの記憶媒体の移動方向と対応付けて記憶する記憶手段と、記憶媒体がアンテナと通信可能な範囲内に置かれるときの記憶媒体の移動方向を検知する検知手段と、記憶媒体がアンテナと通信可能な範囲内に置かれるときに記憶媒体の移動方向が検知手段によって検知されると、記憶手段の各サービス情報のうち検知手段によって検知された移動方向に対応するサービス情報に基づき、アンテナを介して記憶媒体の情報の読み書きを行う制御手段とを備えている。
【０００９】
これにより、記憶媒体がアンテナと通信可能な範囲内に置かれると、アンテナと通信可能な範囲内への記憶媒体の移動方向が検知され、記憶手段の各サービス情報のうち検知手段によって検知された移動方向に対応するサービス情報に基づき、記憶媒体の情報がアンテナを介して読み書きされるので、記憶媒体をアンテナと通信可能な範囲内に置くだけで利用するサービスの選択を行うことが可能となる。
【発明の効果】
【００１０】
以上説明したように本発明によれば、記憶媒体をアンテナと通信可能な範囲内に置くだけで利用するサービスの選択を行うことができるので、利用するサービスの選択を容易且つ迅速に行うことができる。従って、例えば選択ボタン等の選択手段を設ける必要がないので、サービスの選択に係る操作性を向上させることができる。また、サービスの選択を短時間で行うことができるので、記憶媒体を用いたサービスの提供時間を短くすることができ、利便性を向上させることができる。
【発明を実施するための最良の形態】
【００１１】
図１乃至図７は本発明の一実施形態を示すもので、図１は記憶媒体用リーダライタの斜視図、図２は記憶媒体用リーダライタの機能構成図、図３は非接触ＩＣカードの機能構成図、図４は記憶部に記憶された情報の一例を示す図、図５は履歴情報のデータ構造の一例を示す図、図６は制御部の動作を示すシーケンス図、図７は表示部に表示される情報を示す図である。
【００１２】
本実施形態の記憶媒体用リーダライタ１００（以下、リーダライタ１００と称する。）は、電子マネーサービスで用いられる電子マネーの残高がそれぞれ異なる複数のサービス分だけ記憶された非接触ＩＣカード１との間で通信を行うことにより、利用する電子マネーサービスに対応した電子マネー残高の読み書きを行う装置である。
【００１３】
まず、リーダライタ１００の外観構成について図１を参照して説明する。リーダライタ１００は、図１に示すように上面部１０１、前面部１０２、右側面部１０３、左側面部１０４、背面部１０５及び底面部１０６からなり、上面部１０１には、非接触ＩＣカード１に記憶された電子マネー残高等の情報を表示する表示部１３０と、非接触ＩＣカード１を載置するための載置部１０１ａとが設けられている。載置部１０１ａの裏面には、非接触ＩＣカード１との間で通信を行うためのループアンテナ１１１が設けられており、非接触ＩＣカード１を載置部１０１ａに載置または近接させることによって、ループアンテナ１１１と非接触ＩＣカード１との間の非接触通信が可能となる。また、上面部１０１、前面部１０２、右側面部１０３及び左側面部１０４には、後述する後部センサ１５１、前部センサ１５２、右側部センサ１５３及び左側部センサ１５４がそれぞれ設けられている。
【００１４】
次に、リーダライタ１００の機能構成について図２を参照して説明する。図２に示すように、リーダライタ１００には、ＲＦ回路部１１０と、ループアンテナ１１１と、コネクタ１２０と、表示部１３０と、通信装置１４０と、検知部１５０と、記憶部１６０と、制御部１７０とが設けられており、制御部１７０には、上記各機器が接続されている。また、リーダライタ１００には、決済額を送信する決済端末２００がコネクタ１２０を介して接続されている。さらに、リーダライタ１００は、電子マネーサービスＡの管理サーバ４１０、電子マネーサービスＢの管理サーバ４２０及び電子マネーサービスＣの管理サーバ４３０のそれぞれとネットワーク３００を介して接続されている。
【００１５】
ここで、非接触ＩＣカード１の機能構成について図３を参照して説明する。非接触ＩＣカード１には、リーダライタ１００との間で非接触で信号を送受信するためのコイル状のＩＣカード用アンテナ（図示省略）と、アンテナに接続されたＩＣチップとが埋設されている。このＩＣチップには、図３に示すように、ＩＣチップ内の回路を制御するＩＣカード制御部２と、各種情報を記憶するＩＣカード記憶部３とが設けられている。なお、本実施形態の非接触ＩＣカード１は、電子マネーサービスＡと電子マネーサービスＢの２つのサービスに使用可能に構成されている。
【００１６】
ＩＣカード制御部２はＣＰＵ及びＲＡＭ、ＲＯＭ等のメモリを備え、リーダライタ１００からＩＣカード用アンテナを介して受信したＩＣカード用コマンドに応じてＩＣカード記憶部３に記憶された各種情報の更新または読出し処理を行う。
【００１７】
ＩＣカード記憶部３はＥＥＰＲＯＭ等の書き換え可能な記憶素子であり、ＩＣカード記憶部３の記憶領域には、電子マネーサービスＡの領域３１と、電子マネーサービスＢの領域３２が設けられている。各領域３１，３２には、それぞれサービスＩＤ３１ａ，３２ａと、利用者ＩＤ３１ｂ，３２ｂと、電子マネー残高３１ｃ，３２ｃが記憶されている。サービスＩＤ３１ａ，３２ａは電子マネーサービスの種類を識別するためのものであり、電子マネーサービス毎に異なるＩＤが付与されている。利用者ＩＤ３１ｂ，３２ｂは各電子マネーサービスの利用者を識別するためのものであり、非接触ＩＣカード１毎に異なるＩＤが付与されている。
【００１８】
次に、リーダライタ１００に設けられた各機器について説明する。ＲＦ回路部１１０は、ループアンテナ１１１を介して非接触ＩＣカード１とのデータ通信を行うためのものであって、周知のＡＤ／ＤＡ変換器及び整流回路等から構成されている。コネクタ１２０は、例えばＵＳＢ（Universal Serial Bus）規格に準拠したコネクタであって、制御部１７０と決済端末２００とを接続するためのインタフェース部として用いられるものである。
【００１９】
表示部１３０は周知の液晶ディスプレイや有機ＥＬディスプレイ等の表示機器であり、リーダライタ１００の上面部１０１から露出するように設けられている。
【００２０】
通信装置１４０は、ネットワーク３００に接続するためのモデム等の通信機器であり、ネットワーク３００を介して各管理サーバ４１０，４２０及び４３０との間で通信を行うようになっている。なお、本実施形態では、ネットワーク３００として公衆回線網を用いており、これに対応してモデムを通信装置１４０として用いている。
【００２１】
検知部１５０は、非接触ＩＣカード１がループアンテナ１１１と通信可能な範囲内に置かれるときの非接触ＩＣカード１の移動方向を検知するためのものであり、後部センサ１５１、前部センサ１５２、右側部センサ１５３及び左側部センサ１５４から構成されている。各センサ１５１〜１５４は赤外線センサであり、ループアンテナ１１１の周囲にそれぞれ配置されている。後部センサ１５１は、リーダライタ１００の後方から載置部１０１ａに向かって、即ち前方に向かって移動する非接触ＩＣカード１を検知するためのものであり、前部センサ１５２は、リーダライタ１００の前方から載置部１０１ａに向かって、即ち後方に向かって移動する非接触ＩＣカード１を検知するためのものである。また、右側部センサ１５３は、リーダライタ１００の右側方から載置部１０１ａに向かって、即ち左方向に移動する非接触ＩＣカード１を検知するためのものであり、左側部センサ１５４は、リーダライタ１００の左側方から載置部１０１ａに向かって、即ち右方向に移動する非接触ＩＣカード１を検知するためのものである。これにより、非接触ＩＣカード１がループアンテナ１１１と通信可能な範囲内に置かれるときの非接触ＩＣカード１の移動方向が各センサ１５１〜１５４の何れかによって検知される。なお、各センサ１５１〜１５４は、非接触ＩＣカード１を検知すると、所定の検知信号を制御部１７０に送信する。
【００２２】
記憶部１６０はＥＥＰＲＯＭ等の書き換え可能な記憶素子であり、図４に示すように電子マネーサービスＡ、Ｂ及びＣのそれぞれに係るサービス情報１６１，１６２及び１６３を予め記憶している。各サービス情報１６１，１６２及び１６３は、それぞれのサービスに係るサービスＩＤと、非接触ＩＣカード１に記憶された電子マネー残高３１ｃ，３２ｃの加算又は減算を行う決済処理プログラムと、電子マネーサービスの利用履歴を表す履歴情報とから構成されている。サービスＩＤは、非接触ＩＣカード１のサービスＩＤ３１ａ，３２ａと同様に構成されている。また、決済処理プログラムには複数のＩＣカード用コマンドが格納されており、制御部１７０が該プログラムを実行すると、所定のＩＣカード用コマンドがＲＦ回路部１１０及びループアンテナ１１１を介して送信されるようになっている。履歴情報は、図５に示すように複数の履歴レコードからなり、各履歴レコードは、履歴レコードの番号を表す履歴ＩＤと、非接触ＩＣカード１の利用者ＩＤ１２ｂと、取引日付と決済額とから構成されている。また、履歴情報は、電子マネーの決済処理が正常に終了する毎に１件の履歴レコードが追記されるようになっている。
【００２３】
なお、各サービス情報１６１，１６２及び１６３は、非接触ＩＣカード１がループアンテナ１１１と通信可能な範囲内に置かれるときの非接触ＩＣカード１の移動方向と対応付けて記憶されている。図４を参照して説明すると、電子マネーサービスＡのサービス情報１６１には、前方への移動が対応付けられており、電子マネーサービスＢのサービス情報１６２には、後方への移動が対応付けられている。また、電子マネーサービスＣのサービス情報１６３には、左方向への移動が対応付けられている。なお、各サービス情報１６１〜１６３と非接触ＩＣカード１の移動方向との対応付けは任意に設定可能である。また、各サービス情報１６１〜１６３と非接触ＩＣカード１の移動方向との対応付けを、各電子マネーサービスそれぞれの利用頻度に応じて自動的に設定するようにしてもよい。
【００２４】
制御部１７０は、リーダライタ１００の全体を制御するためのものであり、ＣＰＵ及びＲＡＭ、ＲＯＭ等のメモリとともに、電子マネーの決済処理を行ったときの日付（取引日付）を取得するためのタイマー回路（図示省略）を備えている。また、制御部１７０は、自己のメモリに格納されたデータ及びプログラムに基づいて上記の各機器を制御するようになっている。なお、制御部１７０の動作の詳細については後述する。
【００２５】
決済端末２００は、周知のＰＯＳ（Point Of Sales）用端末であり、決済処理を行うためのボタン（図示省略）が押下されると、決済額をリーダライタ１００に送信するようになっている。
【００２６】
各管理サーバ４１０，４２０及び４３０は、電子マネーサービスを管理するためのものであり、管理サーバ４１０は電子マネーサービスＡを運営する事業者に、管理サーバ４２０は電子マネーサービスＢを運営する事業者に、管理サーバ４３０は電子マネーサービスＣを運営する事業者によってそれぞれ管理されている。
【００２７】
以上のように構成されたリーダライタ１００では、非接触ＩＣカード１がループアンテナ１１１と通信可能な範囲内に置かれるときに非接触ＩＣカード１の移動方向が各センサ１５１〜１５４のうち何れかのセンサによって検知されると、記憶部１６０の各サービス情報１６１〜１６３のうち検知された移動方向に対応するサービス情報に基づき、ループアンテナ１１１を介して非接触ＩＣカード１の電子マネー残高３１ｃ，３２ｃの読み書きを行うようになっている。以下に、リーダライタ１００及び非接触ＩＣカード１の動作について図６を参照して説明する。
【００２８】
まず、リーダライタ１００に電源が投入されると、制御部１７０は、非接触ＩＣカード１を検出するためにポーリング処理を行う（ステップＳ１）。具体的に説明すると、制御部１７０は、非接触ＩＣカード１から所定の応答信号を取得するためのＩＣカード用コマンドをＲＦ回路部１１０及びループアンテナ１１１を介して所定時間毎に送信する。一方、利用者が載置部１０１ａに非接触ＩＣカード１を載置することにより、非接触ＩＣカード１がループアンテナ１１１との通信可能な範囲内に置かれると（ステップＳ２）、非接触ＩＣカード１のＩＣカード制御部２は、リーダライタ１００から受信したＩＣカード用コマンドに対して応答信号を送信する（ステップＳ３）。制御部１７０は、ループアンテナ１１１及びＲＦ回路部１１０を介して非接触ＩＣカード１から応答信号を受信することにより、非接触ＩＣカード１を検出する。なお、本実施形態では、非接触ＩＣカード１固有のカードＩＤ（図示省略）を応答信号として用いている。
【００２９】
また、制御部１７０は、図７に示すように、利用可能な電子マネーサービスと、該サービスのそれぞれを利用するための非接触ＩＣカード１の移動方向とを表示部１３０に表示させる。この場合、記憶部１６０の各サービス情報１６１〜１６３と、非接触ＩＣカード１がループアンテナ１１１と通信可能な範囲内に置かれるときの非接触ＩＣカード１の移動方向との対応関係が表示部１３０に表示されていることから、非接触ＩＣカード１を用いたサービスの利用方法を利用者に容易に知らせることが可能となる。
【００３０】
次に、制御部１７０は、非接触ＩＣカード１がループアンテナ１１１との通信可能な範囲内に置かれるときの非接触ＩＣカード１の移動方向を検知する（ステップＳ４）。例えば、利用者が非接触ＩＣカード１をリーダライタ１００の後方から前方に移動させて載置部１０１ａに載置した場合には、非接触ＩＣカード１が後部センサ１５１によって検知される。この場合、後部センサ１５１は、検知信号を制御部１７０に送信する。
【００３１】
次いで、制御部１７０は、各センサ１５１〜１５４のうち何れかのセンサから受信した検知信号に基づき、利用する電子マネーサービスを選択する（ステップＳ５）。例えば、後部センサ１５１から検知信号が送信されると、制御部１７０は、図４に示すように、記憶部１６０の各サービス情報１６１〜１６３のうち非接触ＩＣカード１の前方への移動が対応付けられた電子マネーサービスＡのサービス情報１６１を抽出する。これにより、電子マネーサービスＡが、利用する電子マネーサービスとして選択される。そして、制御部１７０は、電子マネーサービスＡのサービス情報１６１の決済プログラムを実行する（ステップＳ６）。なお、制御部１７０は、電子マネーサービスＡに対応する決済プログラムを実行した後に以下の処理を行う。
【００３２】
制御部１７０は、非接触ＩＣカード１から電子マネーサービスＡの利用者ＩＤ３１ｂ及び電子マネー残高３１ｃを読出すためのＩＣカード用コマンド（図においてカード残高等読出コマンドと表記している。）を、ＲＦ回路部１１０及びループアンテナ１１１を介して非接触ＩＣカード１に送信する（ステップＳ７）。一方、非接触ＩＣカード１のＩＣカード制御部２は、前記ＩＣカード用コマンドを受信すると、ＩＣカード記憶部３の電子マネーサービスＡの領域３１から利用者ＩＤ３１ｂ及び電子マネー残高３１ｃを抽出して（ステップＳ８）、リーダライタ１００に送信する（ステップＳ９）。なお、制御部１７０は、受信した電子マネー残高３１ｃを表示部１３０に表示させる。
【００３３】
次に、制御部１７０は、コネクタ１２０を介して決済端末２００から決済額を受信して、電子マネー残高３１ｃを用いた電子マネーの決済処理を行う（ステップＳ１０）。
【００３４】
ここで、電子マネーの決済処理について具体的に説明する。制御部１７０は、決済額（例えば、１，０００円）を電子マネー残高３１ｃから減算するためのＩＣカード用コマンド（図においてカード残高更新コマンドと表記している。）を、ＲＦ回路部１１０及びループアンテナ１１１を介して非接触ＩＣカード１に送信する（ステップＳ１１）。一方、ＩＣカード制御部２は、リーダライタ１００から前記ＩＣカード用コマンドを受信すると、ＩＣカード用コマンドに含まれた決済額を電子マネー残高３１ｃから減算した後に（ステップＳ１２）、所定の更新終了信号をリーダライタ１００に送信する（ステップＳ１３）。そして、制御部１７０がループアンテナ１１１及びＲＦ回路部１１０を介して更新終了信号を受信することにより、電子マネーの決済処理が正常に終了する。
【００３５】
また、電子マネーの決済処理が正常に終了した場合には、制御部１７０は、履歴情報ＩＤ、利用者ＩＤ３１ｂ、タイマー回路から取得した日付（取引日付）、決済額及び決済処理後の電子マネー残高３１ｃからなる履歴レコードを生成して、履歴レコードをサービス情報１６１の履歴情報に追記する（ステップＳ１４）。この場合、制御部１７０は、決済額と決済処理後の電子マネー残高３１ｃを表示部１３０に表示させる。なお、制御部１７０は、電子マネーの決済処理が正常に終了した後に、電子マネー残高３１ｃを読出すためのＩＣカード用コマンドをＲＦ回路部１１０及びループアンテナ１１１を介して非接触ＩＣカード１に送信することにより、決済処理後の電子マネー残高３１ｃを取得する。
【００３６】
なお、上記フローでは説明を省略したが、制御部１７０は、記憶部１６０に記憶された各サービス情報１６１，１６２及び１６３のうち電子マネーサービスＡに係る履歴情報を電子マネーサービスＡの管理サーバ４１０に、電子マネーサービスＢに係る履歴情報を電子マネーサービスＢの管理サーバ４２０に、電子マネーサービスＣに係る履歴情報を電子マネーサービスＣの管理サーバ４３０にそれぞれ通信装置１４０及びネットワーク３００を介して任意時に送信する。各電子マネーサービスの管理サーバ４１０，４２０及び４３０のそれぞれは、リーダライタ１００から受信した履歴情報を各管理サーバ４１０，４２０及び４３０の記憶部（図示せず）に記憶する。
【００３７】
また、上記フローのステップＳ７において、ステップＳ５で選択された電子マネーサービスに係る情報が非接触ＩＣカード１内に存在しない場合には、制御部１７０は、他の電子マネーサービスの決済プログラムを実行して上記ステップＳ７以降と同様の処理を行うようにしてもよい。
【００３８】
さらに、上記フローのステップＳ１０において、非接触ＩＣカード１から受信した電子マネー残高３１ｃが決済額未満であった場合には、制御部１７０は、他の電子マネーサービスの決済プログラムを実行して上記ステップＳ７以降と同様の処理を行うようにしてもよい。
【００３９】
このように、本実施形態のリーダライタ１００によれば、非接触ＩＣカード１がループアンテナ１１１と通信可能な範囲内に置かれると、ループアンテナ１１１と通信可能な範囲内への非接触ＩＣカード１の移動方向が検知部１５０によって検知され、記憶部１６０の各サービス情報１６１〜１６３のうち検知部１５０によって検知された移動方向に対応するサービス情報に基づき、非接触ＩＣカード１の電子マネー残高がループアンテナ１１１を介して読み書きされるので、非接触ＩＣカード１をループアンテナ１１１と通信可能な範囲内に置くだけで利用するサービスの選択を行うことができ、利用するサービスの選択を容易且つ迅速に行うことができる。従って、例えば選択ボタン等の選択手段を設ける必要がないので、サービスの選択に係る操作性を向上させることができる。また、サービスの選択を短時間で行うことができるので、非接触ＩＣカード１を用いたサービスの提供時間を短くすることができ、利便性を向上させることができる。
【００４０】
また、検知部１５０を、ループアンテナ１１１の周囲に設けられた複数の赤外線センサ１５１〜１５４で構成したので、ループアンテナ１１１に近接される非接触ＩＣカード１の移動方向を確実に検知することができる。
【００４１】
また、各サービス情報１６１〜１６３と、非接触ＩＣカード１がループアンテナ１１１と通信可能な範囲内に置かれるときの非接触ＩＣカード１の移動方向との対応関係を表す情報を表示する表示部１３０を備えたので、非接触ＩＣカード１を用いたサービスの利用方法を利用者に容易に知らせることができ、利用するサービスを利用者が正確に選択することができる。
【００４２】
なお、上記実施形態は本発明の一具体例に過ぎず、本発明が上記実施形態のみに限定されることはない。例えば、前記実施形態では、記憶媒体として非接触ＩＣカード１を用いたものを示したが、他にもＲＦＩＤ（Radio Frequency Identification）タグやＩＣチップを搭載した携帯電話等を記憶媒体として用いてもよい。
【００４３】
また、前記実施形態では、非接触ＩＣカード１用のサービスとして複数の電子マネーサービスを用いたものを示したが、ポイントサービスや個人認証サービス等にも本発明の記憶媒体用リーダライタを適用可能であることは言うまでもない。
【図面の簡単な説明】
【００４４】
【図１】本発明の一実施形態を示す記憶媒体用リーダライタの斜視図
【図２】記憶媒体用リーダライタの機能構成図
【図３】非接触ＩＣカードの機能構成図
【図４】記憶部に記憶された情報の一例を示す図
【図５】履歴情報のデータ構造の一例を示す図
【図６】制御部の動作を示すシーケンス図
【図７】表示部に表示される情報を示す図
【符号の説明】
【００４５】
１…非接触ＩＣカード、３１ｃ，３２ｃ…電子マネー残高、１００…記憶媒体用リーダライタ、１１１…ループアンテナ、１３０…表示部、１３２…ロゴ画面、１５０…検知部、１５１…後部センサ、１５２…前部センサ、１５３…右側部センサ、１５４…左側部センサ、１６０…記憶部、１７０…制御部。
【図１】
2009064260.tif 000003
【図２】
2009064260.tif 000004
【図３】
2009064260.tif 000005
【図４】
2009064260.tif 000006
【図５】
2009064260.tif 000007
【図６】
2009064260.tif 000008
【図７】
2009064260.tif 000009